(57)【要約】  強減速モードが選択されているとき、燃費の悪化を抑制すること。  アクセル解放操作によるコースト状態のとき、ドライバの選択に応じて車両に付与する減速力を第１減速力と第１減速力よりも大きい第２減速力との２段階で変更可能な電動車両の制御方法において、電動車両に駆動力および回生力を付与可能なモータ/ジェネレータ（３）と、通常モードと強回生モードをドライバの選択に応じて選択可能なモード選択スイッチ（４０）と、を備える。そして、通常モードの選択中、回生側に第１通常目標駆動力を算出し、強回生モードの選択中、第１通常目標駆動力よりも回生側に強い第１強回生目標駆動力を算出し、強回生モードの選択中、ドライバ操作により第２減速力による強回生強減速モードを選択すると、強減速モードの選択中、第１強回生目標駆動力よりも負側に大きくした第２強回生目標駆動力を算出し、算出した各目標駆動力に応じた回生力をモータに出力する。
2018189904.tif 000002
【特許請求の範囲】
【請求項１】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力する
ことを特徴とする電動車両の制御方法。
【請求項２】
請求項１に記載された電動車両の制御方法において、
前記強減速モードの選択中、前記アクセル解放操作とアクセル踏込操作を含むアクセル開度の変化に対する前記第３目標駆動力の変化を連続にする
ことを特徴とする電動車両の制御方法。
【請求項３】
請求項１又は請求項２に記載された電動車両の制御方法において、
前記通常モードの選択中であって、ドライバ操作により前記第２減速力による通常強減速モードのとき、前記第１目標駆動力よりも負側に大きくした第４目標駆動力を算出し、
前記第２目標駆動力から前記第３目標駆動力への負側の増加量は、前記第１目標駆動力から前記第４目標駆動力への負側の増加量と同等にする
ことを特徴とする電動車両の制御方法。
【請求項４】
請求項１から請求項３までの何れか一項に記載された電動車両の制御方法において、
前記第２目標駆動力から前記第３目標駆動力へ負側に大きくするとき、前記第３目標駆動力を、所定の下限目標駆動力により制限する
ことを特徴とする電動車両の制御方法。
【請求項５】
請求項１から請求項４までの何れか一項に記載された電動車両の制御方法において、
前記アクセル解放操作とアクセル踏込操作を含むアクセル開度が中間開度以上の領域は、前記第３目標駆動力を前記第２目標駆動力と同等にする
ことを特徴とする車両の制御方法。
【請求項６】
請求項１から請求項５までの何れか一項に記載された電動車両の制御方法において、
前記第３目標駆動力では、一定速走行で使用する一定速目標駆動力領域におけるアクセル開度の変化勾配を、前記一定速目標駆動力領域以外の領域における前記アクセル開度の変化勾配よりも緩やかにする
ことを特徴とする車両の制御方法。
【請求項７】
アクセル解放操作によるコースト状態のとき、ドライバの選択に応じて車両に付与する減速力を第１減速力と前記第１減速力よりも大きい第２減速力との少なくとも２段階で変更可能な電動車両の制御装置において、
電動車両に駆動力および回生力を付与可能なモータと、
通常モードと、強回生モードと、をドライバの選択に応じて選択可能なモード選択部と、
前記通常モードの選択中、回生側に第１目標駆動力を算出し、前記強回生モードの選択中、前記第１目標駆動力よりも回生側に強い第２目標駆動力を算出する目標駆動力算出部と、
前記目標駆動力算出部が算出した各目標駆動力に応じた回生力を前記モータに出力するモータ制御部と、を備え、
前記目標駆動力算出部は、前記強回生モードの選択中であって、ドライバ操作により前記第２減速力による強減速モードを選択すると、前記強減速モードの選択中、前記第２目標駆動力よりも負側に大きくした第３目標駆動力を算出する
ことを特徴とする電動車両の制御装置。
【発明の詳細な説明】
【技術分野】
【０００１】
本開示は、電動車両の制御方法及び電動車両の制御装置に関する。
【背景技術】
【０００２】
従来、車両用駆動力制御装置では、ドライバがアクセルから足を離しているコースト時に、ドライバの選択に応じて車両に付与する減速力を小さい減速力と大きい減速力との２段階で変更することが可能である（例えば、特許文献１参照）。
【先行技術文献】
【特許文献】
【０００３】
【特許文献１】特開2000-238556号公報
【発明の概要】
【発明が解決しようとする課題】
【０００４】
しかし、従来の制御装置では、モータで回生力を付与可能な車両に関する開示がされていない。そのため、そのような車両において、ドライバが車両に付与する減速力を変更したときの制御における燃費の悪化ついて、検討の余地がある。【０００５】
本開示は、上記問題に着目してなされたもので、強減速モードが選択されているとき、燃費の悪化を抑制することを目的とする。
【課題を解決するための手段】
【０００６】
上記目的を達成するため、本開示は、アクセル解放操作によるコースト状態のとき、ドライバの選択に応じて車両に減速力を付与する。この減速力は、第１減速力と第１減速力よりも大きい第２減速力との少なくとも２段階で変更可能である。
この電動車両の制御方法において、車両に駆動力および回生力を付与可能なモータと、通常モードと、強回生モードと、をドライバの選択に応じて選択可能なモード選択部と、を備える。その制御方法において、通常モードの選択中、回生側に第１目標駆動力を算出し、強回生モードの選択中、第１目標駆動力よりも回生側に強い第２目標駆動力を算出する。その強回生モードの選択中であって、ドライバ操作により第２減速力による強減速モードを選択すると、強減速モードの選択中、第２目標駆動力よりも負側に大きくした第３目標駆動力を算出する。そして、算出した各目標駆動力に応じた回生力をモータに出力する。
【発明の効果】
【０００７】
このように、強減速モードのとき、第２目標駆動力よりも負側に大きくした第３目標駆動力を算出し、算出した第３目標駆動力に応じた回生力をモータに出力することで、強減速モードが選択されているとき、燃費の悪化を抑制できうる。
【図面の簡単な説明】
【０００８】
【図１】実施例１の制御方法及び制御装置が適用されたＦＦハイブリッド車両（電動車両の一例）を示す全体システム図である。
【図２】実施例１の統合コントローラの内部構成を示すブロック図である。
【図３】実施例１においてコースト時の通常モードの選択中における車速に対する目標駆動力特性とコースト時の強回生モードの選択中における車速に対する目標駆動力特性の一例を示すコースト目標駆動力マップである。
【図４】実施例１の目標駆動力算出部にてコースト時に実行される目標駆動力特性選択制御処理の流れを示すフローチャートである。
【図５】実施例１において所定の速度での通常モードの選択中におけるアクセル開度に対する目標駆動力特性と、所定の速度での強回生モードの選択中におけるアクセル開度に対する目標駆動力特性の一例を示す第１目標駆動力マップである。
【図６】実施例１において所定の速度での通常モードの選択中におけるアクセル開度に対する目標駆動力特性と、所定の速度での強回生モードの選択中におけるアクセル開度に対する目標駆動力特性の一例を示す第２目標駆動力マップである。
【図７】実施例１において所定の速度での通常モードの選択中におけるアクセル開度に対する目標駆動力特性と、所定の速度での強回生モードの選択中におけるアクセル開度に対する目標駆動力特性の一例を示す第３目標駆動力マップである。
【図８】実施例１において通常モードの選択中にドライバ操作によりオーバードライブスイッチがO/Dオン状態からO/Dオフ状態へ変更されたときの車速VSP・アクセル開度APO・オーバードライブスイッチ情報・目標駆動力の各特性を示すタイムチャートである。
【図９】実施例１において強回生モードの選択中にドライバ操作によりオーバードライブスイッチがO/Dオン状態からO/Dオフ状態へ変更されたときの車速VSP・アクセル開度APO・オーバードライブスイッチ情報・目標駆動力の各特性を示すタイムチャートである。
【発明を実施するための形態】
【０００９】
以下、本開示の電動車両の制御方法及び電動車両の制御装置を実現する最良の形態を、図面に示す実施例１に基づいて説明する。
【実施例１】
【００１０】
まず、構成を説明する。
実施例１の制御方法及び制御装置は、１モータ・２クラッチと呼ばれるパラレルハイブリッド駆動系を備えるＦＦハイブリッド車両（電動車両の一例）に適用する。以下、実施例１の構成を、「全体システム構成」、「統合コントローラの詳細構成」、「目標駆動力算出部の詳細構成」に分けて説明する。【００１１】
［全体システム構成］
図１は、実施例１の制御方法及び制御装置が適用されたＦＦハイブリッド車両の全体システムを示す。以下、図１に基づいてＦＦハイブリッド車両の全体システム構成を説明する。【００１２】
ＦＦハイブリッド車両の駆動系は、図１に示すように、エンジン１(Eng)と、第１クラッチ２(CL1)と、モータ/ジェネレータ３(MG）と、第２クラッチ４(CL2)と、変速機入力軸５と、ベルト式無段変速機６（略称「CVT」）と、を備えている。ベルト式無段変速機６の変速機出力軸７は、終減速ギヤトレイン８とフロントデファレンシャルギヤ９と左右の前輪ドライブシャフト１０Ｒ，１０Ｌを介し、左右の前輪１１Ｒ，１１Ｌに駆動連結される。【００１３】
エンジン１は、スロットルアクチュエータによる吸入空気量とインジェクタによる燃料噴射量と、点火プラグによる点火時期の制御により、エンジントルクが指令値と一致するようにトルク制御される。また、エンジン１は、燃焼運転状態ではなく、フューエルカット状態（燃料供給停止）で第１クラッチ２を締結したクランキング運転状態とすると、ピストンとシリンダー内壁との摩擦摺動抵抗等によりフリクショントルクを発生する。【００１４】
第１クラッチ２は、エンジン１とモータ/ジェネレータ３との間に介装された油圧作動によるノーマルオープンの乾式多板摩擦クラッチであり、第１クラッチ油圧により完全締結/スリップ締結/解放が制御される。この第１クラッチ２が完全締結状態ならモータトルク＋エンジントルクが第２クラッチ４へと伝達され、解放状態ならモータトルクのみが、第２クラッチ４へと伝達される。【００１５】
モータ/ジェネレータ３は、第１クラッチ２を介してエンジン１に連結された三相交流の永久磁石型同期モータである。このモータ/ジェネレータ３は、強電バッテリ１２を電源とし、ステータコイルには、力行時に直流を三相交流に変換し、回生時に三相交流を直流に変換するインバータ１３が、ＡＣハーネス１４を介して接続される。モータ/ジェネレータ３は、発進時や走行時にモータトルク制御やモータ回転数制御を行うと共に、制動時や減速時に回生ブレーキ制御による車両運動エネルギーの強電バッテリ１２への回収（充電）を行なうものである。即ち、このモータ/ジェネレータ３は、車両に駆動力および回生力を付与可能である。そして、このモータ/ジェネレータ３は、回生時に発生する回生力を車両に付与される制動力として用いることで、減速要求発生時にＦＦハイブリッド車両に制動力を付与する制動装置となる。【００１６】
第２クラッチ４は、モータ/ジェネレータ３と駆動輪である左右の前輪１１Ｒ，１１Ｌとの間に介装された油圧作動による湿式の多板摩擦クラッチであり、第２クラッチ油圧により完全締結/スリップ締結/解放が制御される。実施例１の第２クラッチ４は、遊星ギヤによるベルト式無段変速機６の前後進切替機構に設けられた前進クラッチと後退ブレーキを流用している。つまり、前進走行時には、前進クラッチが第２クラッチ４(CL2)とされ、後退走行時には、後退ブレーキが第２クラッチ４(CL2)とされる。【００１７】
ベルト式無段変速機６は、プライマリプーリ６１と、セカンダリプーリ６２と、両プーリ６１，６２に巻き付けたベルト６３と、を有して構成される。そして、変速油圧によりベルトプライマリ油室とセカンダリ油室への変速油圧によりベルトの巻き付き径を変えることで無段階の変速比を得る変速機である。【００１８】
プライマリプーリ６１は、変速機入力軸５に固定された固定シーブと、変速機入力軸５に摺動自在に支持された可動シーブと、を有している。セカンダリプーリ６２は、変速機出力軸７に固定された固定シーブと、変速機出力軸７に摺動自在に支持された可動シーブと、を有している。ベルト６３は、金属ベルトであり、それぞれの固定シーブと可動シーブとの間に挟持される。【００１９】
ベルト式無段変速機６では、プライマリプーリ６１とセカンダリプーリ６２のプーリ幅を変更し、ベルト６３の挟持面の径を変更して変速比（プーリ比）を自在に制御する。ここで、プライマリプーリ６１のプーリ幅が広くなると共に、セカンダリプーリ６２のプーリ幅が狭くなると変速比がLow側に変化する。また、プライマリプーリ６１のプーリ幅が狭くなると共に、セカンダリプーリ６２のプーリ幅が広くなると変速比がHigh側に変化する。【００２０】
第１クラッチ２とモータ/ジェネレータ３と第２クラッチ４により１モータ・２クラッチの駆動システムが構成され、この駆動システムによる主な駆動態様として、「EVモード」と「HEVモード」を有する。「EVモード」は、第１クラッチ２を解放し、第２クラッチ４を締結してモータ/ジェネレータ３のみを駆動源に有する電気自動車モードであり、「EVモード」による走行を「EV走行」という。「HEVモード」は、第１クラッチ２と第２クラッチ４を締結してエンジン１とモータ/ジェネレータ３を駆動源に有するハイブリッド車モードであり、「HEVモード」による走行を「HEV走行」という。【００２１】
ＦＦハイブリッド車両の制御系は、図１に示すように、統合コントローラ２１と、変速機コントローラ２２と、クラッチコントローラ２３と、エンジンコントローラ２４と、モータコントローラ２５（モータ制御部）と、バッテリコントローラ２６と、を備えている。統合コントローラ２１を含むこれらの制御デバイスは、CAN通信線２７（CANは「Controller Area Network」の略称）により双方向情報交換可能に接続されている。そして、センサ類として、モータ回転数センサ３１と、変速機入力回転数センサ３２と、アクセル開度センサ３３と、エンジン回転数センサ３４と、油温センサ３５と、変速機出力回転数センサ３６と、を備えている。さらに、車速センサ３７と、インヒビタースイッチ３８と、オーバードライブスイッチ３９と、モード選択スイッチ４０（モード選択部）と、を備えている。【００２２】
統合コントローラ２１は、車両全体の消費エネルギーを適切に管理する機能を担う統合制御デバイスである。統合コントローラ２１は、アクセル開度センサ３３、車速センサ３７と、インヒビタースイッチ３８と、オーバードライブスイッチ３９と、モード選択スイッチ４０、等からの情報を入力する。そして、入力情報に基づいて、目標駆動力を算出する。そして、目標駆動力の算出結果に基づき、エンジン１、モータ/ジェネレータ３、ベルト式無段変速機６、等に対する指令値を演算し、CAN通信線２７を介して各コントローラ２２，２３，２４，２５，２６へと送信する。そして、入力情報に基づいて「EVモード」と「HEVモード」との間のモード遷移制御、目標駆動力制御、等の様々な制御を行う。【００２３】
変速機コントローラ２２は、統合コントローラ２１からの変速指令、変速機入力回転数センサ３２、変速機出力回転数センサ３６、オーバードライブスイッチ３９、等からの情報を入力し、ベルト式無段変速機６の変速油圧制御等を行う。【００２４】
クラッチコントローラ２３は、統合コントローラ２１、モータ回転数センサ３１、変速機入力回転数センサ３２、等からの情報を入力し、第１クラッチ２(CL1)や第２クラッチ４(CL2)の締結油圧制御を行う。【００２５】
エンジンコントローラ２４は、統合コントローラ２１からのエンジントルク指令値、エンジン回転数センサ３４、等からの情報を入力し、エンジン１の燃料噴射制御や点火制御や燃料カット制御やトルク制御等を行う。【００２６】
モータコントローラ２５は、統合コントローラ２１からの指令（モータトルク指令値等）に基づいて、インバータ１３によるモータ/ジェネレータ３の力行制御や回生制御等を行う。即ち、目標駆動力算出部100で算出された目標駆動力に応じた駆動力や回生力をモータ/ジェネレータ３へ出力する。【００２７】
バッテリコントローラ２６は、強電バッテリ１２の充電容量SOC等を管理し、SOC情報を統合コントローラ２１やエンジンコントローラ２４へと送信する。【００２８】
インヒビタースイッチ３８は、セレクトレバー１５の位置に基づいてドライバ操作により選択されるレンジ位置（Ｐレンジ位置・Ｒレンジ位置・Ｎレンジ位置・Ｄレンジ位置・Ｌレンジ位置）を検出する。【００２９】
オーバードライブスイッチ３９は、セレクトレバー１５に設けられている。このオーバードライブスイッチ３９は、スイッチのON/OFFを検出する。オーバードライブスイッチ３９は、ON/OFFの情報をオーバードライブスイッチ情報として変速機コントローラ２２へ入力する。このスイッチは、通常はONになっている。スイッチがON（O/Dオン）であると、全ての変速比の選択が許可される。スイッチがOFF（O/Dオフ）であると、オーバードライブ変速比の選択が許可されない。また、Ｄレンジ位置の選択中、ドライバ操作によりスイッチがONからOFFへ変更されると、統合コントローラ２１では車速VSP（車両速度）に応じて、変速比のダウンシフト量が決定される。そして、統合コントローラ２１から変速機コントローラ２２等へ入力される。【００３０】
モード選択スイッチ４０は、「通常モード（弱回生モード）」と「強回生モード」がドライバの選択に応じて選択可能なスイッチである。モード選択スイッチ４０は、選択されたモード情報をモード選択スイッチ情報として統合コントローラ２１へ入力する。「強回生モード」の選択中、アクセル開度APOが中低開度領域の目標駆動力特性は、「通常モード」の選択中よりも負の目標駆動力側に移行させた割り付けとしている（図５〜図７参照）。【００３１】
［統合コントローラの詳細構成］
図２は、実施例１の統合コントローラの内部構成を示す。以下、図２に基づいて統合コントローラの詳細構成を説明する。【００３２】
統合コントローラは、図２に示すように、目標駆動力算出部100と、トルク・変速比分配演算部200と、目標エンジントルク・目標モータトルク配分演算部300と、を有する。さらに、統合コントローラは、図２に示すように、目標変速比演算部400と、目標エンジントルク演算部500と、目標モータトルク演算部600と、を有する。【００３３】
目標駆動力算出部100は、目標駆動力マップを用いて、アクセル開度APOと、車速VSP（車両速度）と、レンジ位置と、オーバードライブスイッチ情報と、モード選択スイッチ情報と、等から、目標駆動力を算出する。なお、目標駆動力算出部100の詳細は、後述する。【００３４】
トルク・変速比分配演算部200は、目標駆動力算出部100にて算出された目標駆動力を達成するための車両全体のトルクとベルト式無段変速機６の変速比の分配を演算する。【００３５】
目標エンジントルク・目標モータトルク配分演算部300は、トルク・変速比分配演算部200で演算されたトルクに基づいて、目標エンジントルクと目標モータトルクの配分を演算する。【００３６】
目標変速比演算部400は、トルク・変速比分配演算部200で演算された変速比に対応した変速比指令値を演算する。変速比指令値は、変速機コントローラ２２へ入力される。【００３７】
目標エンジントルク演算部500は、目標エンジントルク・目標モータトルク配分演算部300で演算された目標エンジントルクに対応したエンジントルク指令値を演算する。エンジントルク指令値は、エンジンコントローラ２４へ入力される。【００３８】
目標モータトルク演算部600は、目標エンジントルク・目標モータトルク配分演算部300で演算された目標モータトルクに対応したモータトルク指令値を演算する。モータトルク指令値は、モータコントローラ２５へ入力される。【００３９】
［目標駆動力算出部の詳細構成］
図３は、コースト時の通常モードの選択中における車速に対する目標駆動力特性とコースト時の強回生モードの選択中における車速に対する目標駆動力特性の一例を示す。図４は、実施例１の目標駆動力算出部にてコースト時に実行される目標駆動力特性選択制御処理の流れを示す。図５〜図７は、実施例１において所定の速度での通常モードの選択中におけるアクセル開度に対する目標駆動力特性と所定の速度での強回生モードの選択中におけるアクセル開度に対する目標駆動力特性の一例を示す。以下、図３〜図７に基づいて目標駆動力算出部の詳細構成を説明する。【００４０】
目標駆動力算出部100は、図３に示すように、アクセル解放操作によるコースト状態のとき、４つの目標駆動力を算出する。４つの目標駆動力として、「第１通常目標駆動力（第１目標駆動力）」と「第２通常目標駆動力（第４目標駆動力）」と「第１強回生目標駆動力（第２目標駆動力）」と「第２強回生目標駆動力（第３目標駆動力）」とを設定している。【００４１】
これらの４つの目標駆動力は、オーバードライブスイッチ３９とモード選択スイッチ４０に対するドライバ操作により選択される。ここで、アクセル解放操作によるコースト状態のとき、ドライバ操作によりオーバードライブスイッチ３９がONからOFFへ操作されると、車両に付与するエンジンブレーキ力（減速力）が大きくなる。即ち、O/Dオン状態におけるエンジンブレーキ力を第１減速力とし、O/Dオフ状態におけるエンジンブレーキ力を第２減速力とするとき、第２減速力は第１減速力よりも大きくなる。【００４２】
「第１通常目標駆動力」は、通常モードの選択中であって、ドライバ操作によりオーバードライブスイッチ３９がON状態（O/Dオン状態）による通常減速モードが選択されると、通常減速モードの選択中に算出される目標駆動力である。この第１通常目標駆動力は、図２に示すように、Ｄレンジ位置のO/Dオン状態におけるエンジンブレーキ相当として回生側に算出される。【００４３】
「第２通常目標駆動力」は、通常モードの選択中であって、ドライバ操作によりオーバードライブスイッチ３９がOFF状態（O/Dオフ状態）による通常強減速モードが選択されると、通常強減速モードの選択中に算出される目標駆動力である。この第２通常目標駆動力は、図３に示すように、第１通常目標駆動力よりも負側に大きく算出される。第２通常目標駆動力は、Ｄレンジ位置のO/Dオフ状態におけるエンジンブレーキ相当として算出される。【００４４】
「第１強回生目標駆動力」は、強回生モードの選択中であって、ドライバ操作によりオーバードライブスイッチ３９がON状態（O/Dオン状態）による強回生減速モードが選択されると、強回生減速モードの選択中に算出される目標駆動力である。この第１強回生目標駆動力は、図３に示すように、強回生減速モードの選択中におけるO/Dオン状態におけるエンジンブレーキ相当として回生側に算出される。即ち、第１強回生目標駆動力は、図３に示すように、第１通常目標駆動力と第２通常目標駆動力よりも回生側に強く算出される。【００４５】
「第２強回生目標駆動力」は、強回生モードの選択中であって、ドライバ操作によりオーバードライブスイッチ３９がOFF状態（O/Dオフ状態）による強回生強減速モードが選択されると、強回生強減速モードの選択中に算出される目標駆動力である。この第２強回生目標駆動力は、図３に示すように、第１強回生目標駆動力よりも負側に大きく算出される。また、第１強回生目標駆動力から第２強回生目標駆動力への負側の増加量は、第１通常目標駆動力から第２通常目標駆動力への負側の増加量と同等にする。ただし、第２強回生目標駆動力は、所定の下限目標駆動力により制限される。即ち、第２強回生目標駆動力を負側に大きくするとき、第２強回生目標駆動力を所定の下限目標駆動力よりも負側に大きくしないように制限する。ここで、「所定の下限目標駆動力」とは、例えば、セレクトレバー１５でＬレンジ位置が選択されているときの目標駆動力をいう。また、「所定の下限目標駆動力」は、予め実験等により走行に適する値を求める。【００４６】
これら４つの目標駆動力の目標駆動力特性は、図３に示すように、減速により車速VSPが低下するとき、各目標駆動力を維持したまま推移する。そして、減速により車速VSPが低下して車両が停車に近づくと目標駆動力を徐々に減少し、停車領域になると正の目標駆動力（クリープトルク）に移行するようにしている。【００４７】
また、これら４つの目標駆動力のうち、第１通常目標駆動力と第２通常目標駆動力と第１強回生目標駆動力の３つは、例えばモータ/ジェネレータ３の回生力により出力される。残りの第２強回生目標駆動力は、例えばモータ/ジェネレータ３の回生力とエンジンブレーキ力により出力される。【００４８】
このように、殆どの減速シーンにおいてブレーキペダル操作を要さず、アクセル戻し/解放操作による制動力コントロールが可能である。特に、「通常モード」よりも負側に目標駆動力を大きくした「強回生モード」は、アクセルペダルへのアクセルワークにより駆動/制動をコントロールする「１ペダルモード」と呼ばれることがある。【００４９】
次に、目標駆動力特性選択制御処理構成をあらわす図４の各ステップについて説明する。なお、このフローチャートは、インヒビタースイッチ３８からのレンジ位置情報が「Ｄレンジ位置」になると開始されるとき、この制御処理構成を開始する。【００５０】
ステップＳ１では、モード選択スイッチ４０において通常モードが選択されたか否かを判断する。YES（通常モード）の場合はステップＳ２へ進み、NO（強回生モード）の場合はステップＳ５へ進む。【００５１】
ステップＳ２では、ステップＳ１での通常モードであるとの判断に続き、オーバードライブスイッチ３９からのスイッチ情報がON（O/Dオン）か否かを判断する。YES（O/Dオン）の場合はステップＳ３へ進み、NO（O/Dオフ）の場合はステップＳ４へ進む。【００５２】
ステップＳ３では、ステップＳ１での「通常モード」との判断、及び、ステップＳ２での「O/Dオン」との判断より、第１通常目標駆動力を算出し、リタ−ンへ進む。【００５３】
ステップＳ４では、ステップＳ１での「通常モード」との判断、及び、ステップＳ２での「O/Dオフ」との判断より、第２通常目標駆動力を算出し、リタ−ンへ進む。【００５４】
ステップＳ５では、ステップＳ１での強回生モードであるとの判断に続き、オーバードライブスイッチ３９からのスイッチ情報がON（O/Dオン）か否かを判断する。YES（O/Dオン）の場合はステップＳ６へ進み、NO（O/Dオフ）の場合はステップＳ７へ進む。【００５５】
ステップＳ６では、ステップＳ１での「強回生モード」との判断、及び、ステップＳ５での「O/Dオン」との判断より、第１強回生目標駆動力を算出し、リタ−ンへ進む。【００５６】
ステップＳ７では、ステップＳ１での「強回生モード」との判断、及び、ステップＳ５での「O/Dオフ」との判断より、第２強回生目標駆動力を算出し、リタ−ンへ進む。【００５７】
次に、図５〜図７について説明する。図５〜図７は、アクセル開度APOをアクセル解放操作とアクセル踏込操作を含む全開まで拡大して、第１通常目標駆動力と第２通常目標駆動力と第１強回生目標駆動力と第２強回生目標駆動力のそれぞれを、全てのアクセル開度APOに設定した場合を示している。これら３つの目標駆動力マップのいずれかを使用して、車両は走行する。３つの目標駆動力マップは、運転シーン等に応じて使い分ける。【００５８】
次に、作用を説明する。
実施例１の作用を、「目標駆動力特性選択制御処理作用」と、「目標駆動力特性選択制御作用」と、「目標駆動力特性選択制御の特徴作用」に分けて説明する。【００５９】
［目標駆動力特性選択制御処理作用］
以下、図４のフローチャートに基づいて、目標駆動力特性選択制御処理作用を説明する。【００６０】
通常モードの選択中であって、ドライバ操作によりオーバードライブスイッチ３９がO/Dオンに選択されるときは、ステップＳ１→ステップＳ２→ステップＳ３へと進む。ステップＳ３では、第１通常目標駆動力が算出され、ステップＳ３→リタ−ンへと進む。そして、第１通常目標駆動力に応じて車両が制御される。【００６１】
次に、通常モードの選択中であって、ドライバ操作によりオーバードライブスイッチ３９がO/DオンからO/Dオフへ変更されると、ステップＳ１→ステップＳ２→ステップＳ４へと進む。ステップＳ４では、第２通常目標駆動力が算出され、ステップＳ４→リタ−ンへと進む。そして、第２通常目標駆動力に応じて車両が制御される。【００６２】
次に、強回生モードの選択中であって、ドライバ操作によりオーバードライブスイッチ３９がO/Dオンに選択されるときは、ステップＳ１→ステップＳ５→ステップＳ６へと進む。ステップＳ６では、第１強回生目標駆動力が算出され、ステップＳ６→リタ−ンへと進む。そして、第１強回生目標駆動力に応じて車両が制御される。【００６３】
次に、強回生モードの選択中であって、ドライバ操作によりオーバードライブスイッチ３９がO/DオンからO/Dオフへ変更されると、ステップＳ１→ステップＳ５→ステップＳ７へと進む。ステップＳ７では、第２強回生目標駆動力が算出され、ステップＳ７→リタ−ンへと進む。そして、第２強回生目標駆動力に応じて車両が制御される。【００６４】
ここで、走行中であって、通常モードの選択中に、強回生モードが選択された場合には、ステップＳ１において「YES」から「NO」になり、ステップＳ１→ステップＳ５へと進む。また、反対に、走行中であって、強回生モードの選択中に、通常モードが選択された場合には、ステップＳ１において「NO」から「YES」になり、ステップＳ１→ステップＳ２へと進む。【００６５】
［目標駆動力特性選択制御作用］
図８は、実施例１において通常モードの選択中にドライバ操作によりオーバードライブスイッチ３９がO/Dオン状態からO/Dオフ状態へ変更されたときの車速VSP・アクセル開度APO・オーバードライブスイッチ情報・目標駆動力の各特性を示す。図９は、実施例１において強回生モードの選択中にドライバ操作によりオーバードライブスイッチ３９がO/Dオン状態からO/Dオフ状態へ変更されたときの車速VSP・アクセル開度APO・オーバードライブスイッチ情報・目標駆動力の各特性を示す。以下、図８と図９に基づいて、アクセル解放操作によるコースト状態のときの目標駆動力特性選択制御作用を、「通常モードの選択中」と、「強回生モードの選択中」に分けて説明する。なお、図８と図９において、ドライバ操作によりレンジ位置はＤレンジ位置が選択されているものとする。【００６６】
（通常モードの選択中）
以下、図８に基づいて、アクセル解放操作によるコースト状態のときであって通常モードの選択中の目標駆動力特性選択制御作用を説明する。【００６７】
時刻t10のとき、ドライバ操作によりアクセル解放操作が行われる。このとき、オーバードライブスイッチ３９はO/Dオン状態である。このため、第１通常目標駆動力が算出される。この時刻t10のときは、図４のフローチャートにおいて、ステップＳ１→ステップＳ２→ステップＳ３に相当する。【００６８】
時刻t10から時刻t11までの間、オーバードライブスイッチ３９がO/Dオン状態のままである。このため、車速VSPに応じて、第１通常目標駆動力が算出される。この間は、第１通常目標駆動力が回生側に算出される。この時刻t10から時刻t11までは、図４のフローチャートにおいて、ステップＳ１→ステップＳ２→ステップＳ３→リターンに相当する。【００６９】
時刻t11のとき、ドライバ操作によりオーバードライブスイッチ３９がO/Dオン状態からO/Dオフ状態へ変更される。このため、第１通常目標駆動力から第２通常目標駆動力へ変更される。そして、時刻t11から時刻t12までの間は、第１通常目標駆動力から第２通常目標駆動力への過渡期に相当する。このため、第１通常目標駆動力から第２通常目標駆動力へランプ傾きで（徐々に）変更されるように、通常目標駆動力が算出される。なお、通常目標駆動力は、所定の下限目標駆動力よりも負側に大きくならないので、ここでは制限されない。これ以降の時刻においても同様である。【００７０】
時刻t12のとき、過渡期が終了し、第２通常目標駆動力が算出される。この時刻t12のときは、図４のフローチャートにおいて、ステップＳ１→ステップＳ２→ステップＳ４に相当する。【００７１】
時刻t12から時刻t13までの間、オーバードライブスイッチ３９がO/Dオフ状態に維持される。このため、車速VSPに応じて、第２通常目標駆動力が算出される。この間は、第１通常目標駆動力よりも負側に大きくした第２通常目標駆動力が算出される。この時刻t12から時刻t13までは、図４のフローチャートにおいて、ステップＳ１→ステップＳ２→ステップＳ４→リターンに相当する。【００７２】
時刻t13のとき、ドライバ操作によりオーバードライブスイッチ３９がO/Dオフ状態からO/Dオン状態へ変更される。このため、第２通常目標駆動力から第１通常目標駆動力へ変更される。そして、時刻t13から時刻t14までの間は、第２通常目標駆動力から第１通常目標駆動力への過渡期に相当する。このため、第２通常目標駆動力から第１通常目標駆動力へランプ傾きで変更されるように、通常目標駆動力が算出される。
時刻t14のとき、過渡期が終了し、第１通常目標駆動力が算出される。この時刻t14のときは、図４のフローチャートにおいて、ステップＳ１→ステップＳ２→ステップＳ３に相当する。なお、時刻t14以降は、車速VSPに応じて、第１通常目標駆動力が算出される。【００７３】
このように、実施例１の目標駆動力特性選択制御では、通常モードの選択中、ドライバ操作によるオーバードライブスイッチ情報に応じた第１通常目標駆動力と第２通常目標駆動力が算出される。【００７４】
（強回生モードの選択中）
以下、図９に基づいて、アクセル解放操作によるコースト状態のときであって強回生モードの選択中の目標駆動力特性選択制御作用を説明する。【００７５】
時刻t20のとき、ドライバ操作によりアクセル解放操作が行われる。このとき、オーバードライブスイッチ３９はO/Dオン状態である。このため、第１強回生目標駆動力が算出される。この時刻t20のときは、図４のフローチャートにおいて、ステップＳ１→ステップＳ５→ステップＳ６に相当する。【００７６】
時刻t20から時刻t21までの間、オーバードライブスイッチ３９がO/Dオン状態のままである。このため、車速VSPに応じて、第１強回生目標駆動力が算出される。この間は、第１強回生目標駆動力が回生側に算出される。この時刻t20から時刻t21までは、図４のフローチャートにおいて、ステップＳ１→ステップＳ５→ステップＳ６→リターンに相当する。【００７７】
時刻t21のとき、ドライバ操作によりオーバードライブスイッチ３９がO/Dオン状態からO/Dオフ状態へ変更される。このため、第１強回生目標駆動力から第２強回生目標駆動力へ変更される。そして、時刻t21から時刻t22までの間、第１強回生目標駆動力から第２強回生目標駆動力への過渡期に相当する。このため、第１強回生目標駆動力から第２強回生目標駆動力へランプ傾きで（徐々に）変更されるように、強回生目標駆動力が算出される。ただし、強回生目標駆動力が、所定の下限目標駆動力よりも負側に大きくならないように制限される。【００７８】
時刻t22のとき、過渡期が終了し、第２強回生目標駆動力が算出される。このとき、算出される第２強回生目標駆動力は、所定の下限目標駆動力よりも負側に大きくなってしまうため、所定の下限目標駆動力よりも負側に大きくならないように制限される。この時刻t22のときは、図４のフローチャートにおいて、ステップＳ１→ステップＳ５→ステップＳ７に相当する。【００７９】
時刻t22から時刻t23までの間、オーバードライブスイッチ３９がO/Dオフ状態に維持される。このため、車速VSPに応じて、第２強回生目標駆動力が算出される。この間は、第１強回生目標駆動力よりも負側に大きくした第２強回生目標駆動力が算出される。この時刻t22から時刻t23までの間において、前半から中盤にかけて、算出される第２強回生目標駆動力は、所定の下限目標駆動力よりも負側に大きくなってしまうため、所定の下限目標駆動力よりも負側に大きくならないように制限される。また、時刻t22から時刻t23までの間の後半において、算出される第２強回生目標駆動力は、所定の下限目標駆動力よりも負側に大きくならないため、所定の下限目標駆動力により制限されない。この時刻t22から時刻t23までは、図４のフローチャートにおいて、ステップＳ１→ステップＳ５→ステップＳ７→リターンに相当する。【００８０】
時刻t23のとき、ドライバ操作によりオーバードライブスイッチ３９がO/Dオフ状態からO/Dオン状態へ変更される。このため、第２強回生目標駆動力から第１強回生目標駆動力へ変更される。そして、時刻t23から時刻t24までの間、第２強回生目標駆動力から第１強回生目標駆動力への過渡期に相当する。このため、第２強回生目標駆動力から第１強回生目標駆動力へランプ傾きで変更されるように、目標駆動力が算出される。【００８１】
時刻t24のとき、過渡期が終了し、第１強回生目標駆動力が算出される。この時刻t24のときは、図４のフローチャートにおいて、ステップＳ１→ステップＳ５→ステップＳ６に相当する。なお、時刻t24以降は、車速VSPに応じて、第１強回生目標駆動力が算出される。【００８２】
このように、実施例１の目標駆動力特性選択制御では、強回生モードの選択中、ドライバ操作によるオーバードライブスイッチ情報に応じた第１強回生目標駆動力と第２強回生目標駆動力が算出される。【００８３】
［目標駆動力特性選択制御の特徴作用］
実施例１では、強回生モードの選択中であって、ドライバ操作によりO/Dオフ状態による強回生強減速モード（強減速モード）を選択すると、強減速モードの選択中、第１強回生目標駆動力よりも負側に大きくした第２強回生目標駆動力を算出する。そして、算出した第２強回生目標駆動力に応じた回生力をモータ/ジェネレータ３に出力する。例えば、強回生強減速モードが選択されているとき、第１強回生目標駆動力を変化させないと、車両に付与する減速力としてO/Dオフ状態におけるエンジンブレーキ力が増えた分、モータ/ジェネレータ３の回生力を小さくする制御が行われ、燃費が悪化する。これに対し、実施例１では、強回生強減速モードが選択されているとき、第１強回生目標駆動力よりも負側に大きくした第２強回生目標駆動力が算出される。即ち、強回生強減速モードが選択されているとき、目標駆動力を大きくすることで、モータ/ジェネレータ３の回生力が小さくなることが抑制される。この結果、強回生強減速モードが選択されているとき、燃費の悪化が抑制される。【００８４】
実施例１では、強回生強減速モードの選択中、アクセル解放操作とアクセル踏込操作を含むアクセル開度APOの変化に対する第２強回生目標駆動力の変化を連続にする。
即ち、例えば図５の第１目標駆動力マップの第２強回生目標駆動力において、第１通常目標駆動力等よりもアクセル操作による減速の範囲が拡大されても、負側の第２強回生目標駆動力の調整をアクセル操作で容易に行える。従って、アクセル操作によって、容易に第２強回生目標駆動力を調整することができる。加えて、アクセル開度APOの変化に対する第１通常目標駆動力と第２通常目標駆動力と第１強回生目標駆動力についても同様に、各目標駆動力の変化を連続にする（例えば図５）。これにより、第１通常目標駆動力と第２通常目標駆動力と第１強回生目標駆動力についても同様に、アクセル操作によって、容易に各目標駆動力を調整することができる。【００８５】
実施例１では、第１強回生目標駆動力から第２強回生目標駆動力への負側の増加量は、第１通常目標駆動力から第２通常目標駆動力への負側の増加量と同等にする。即ち、強回生モードにおける目標駆動力の変化を、通常モードにおける目標駆動力の変化と同じにする。従って、強回生モードにおいてドライバが期待している目標駆動力の変化を提供できる。【００８６】
実施例１では、第１強回生目標駆動力から第２強回生目標駆動力へ負側に大きくするとき、第２強回生目標駆動力を、所定の下限目標駆動力により制限する。例えば、負側の第２強回生目標駆動力が大きくなり過ぎると、減速コントロールが悪化する。これに対し、実施例１では、第２強回生目標駆動力を、所定の下限目標駆動力により制限することで、負側に第２強回生目標駆動力が大きくなり過ぎることが抑制される。従って、負側に第２強回生目標駆動力が大きくなり過ぎることによる減速コントロールの悪化を回避できる。【００８７】
実施例１では、アクセル解放操作とアクセル踏込操作を含むアクセル開度APOが中間以上の領域は、第２強回生目標駆動力を第１強回生目標駆動力と同等にする。即ち、例えば図６の第２目標駆動力マップに示すように、アクセル開度APOが中間以上の領域は、第２強回生目標駆動力を第１強回生目標駆動力に揃える。従って、加速時等における高い目標駆動力（正側）が要求されるドライバ操作に対して、反応良く第２強回生目標駆動力を上げることができる。加えて、アクセル開度APOが中間以上の領域は、例えば図６に示すように、第２通常目標駆動力を第１通常目標駆動力と同等にする。これにより、加速時等における高い目標駆動力（正側）が要求されるドライバ操作に対して、反応良く第２通常目標駆動力を上げることができる。【００８８】
実施例１では、第２強回生目標駆動力では、一定速走行で使用する一定速目標駆動力領域におけるアクセル開度APOの変化勾配を、一定速目標駆動力領域以外の領域におけるアクセル開度APOの変化勾配よりも緩やかにする。即ち、例えば図７の第３目標駆動力マップに示すように、この一定速目標駆動力領域におけるアクセル開度APOの変化勾配を、その他の領域におけるアクセル開度APOの変化勾配よりも緩やかにする。このため、一定速走行におけるアクセル開度APOに幅を持たすことができる。これにより、アクセル開度APOが多少変化しても一定速走行を維持できるため、一定速走行を行いやすくなる。従って、一定速走行の操作を容易にすることができる。加えて、第１通常目標駆動力と第２通常目標駆動力と第１強回生目標駆動力についても同様にする。即ち、これら３つの目標駆動力についても、一定速走行で使用する一定速目標駆動力領域におけるアクセル開度APOの変化勾配を、一定速目標駆動力領域以外の領域におけるアクセル開度APOの変化勾配よりも緩やかにする（例えば図７）。これにより、一定速走行の操作を容易にすることができる。なお、一定速目標駆動力領域は、最大目標駆動力に対する所定の割合領域であり、予め設定されている。【００８９】
次に、効果を説明する。
実施例１のＦＦハイブリッド車両の制御方法及び制御装置にあっては、下記に列挙する効果を得ることができる。【００９０】
(1) アクセル解放操作によるコースト状態のとき、ドライバの選択に応じて車両に減速力を付与する。この減速力は、第１減速力（O/Dオン状態におけるエンジンブレーキ力）と第１減速力よりも大きい第２減速力（O/Dオフ状態におけるエンジンブレーキ力）との少なくとも２段階で変更可能である。
この電動車両（ＦＦハイブリッド車両）の制御方法において、モータ（モータ/ジェネレータ３）と、モード選択部（モード選択スイッチ４０）と、を備える。
モータは、電動車両に駆動力および回生力を付与可能である。
モード選択部は、通常モードと、強回生モードと、をドライバの選択に応じて選択可能である。
その制御方法において、通常モードの選択中、回生側に第１目標駆動力（第１通常目標駆動力）を算出し、強回生モードの選択中、第１目標駆動力よりも回生側に強い第２目標駆動力（第１強回生目標駆動力）を算出する。
その強回生モードの選択中であって、ドライバ操作により第２減速力による強減速モード（強回生強減速モード）を選択すると、強減速モードの選択中、第２目標駆動力よりも負側に大きくした第３目標駆動力（第２強回生目標駆動力）を算出する。
そして、算出した各目標駆動力（第１通常目標駆動力/第１強回生目標駆動力/第２強回生目標駆動力）に応じた回生力をモータに出力する。
このため、強減速モード（強回生強減速モード）が選択されているとき、燃費の悪化を抑制する電動車両（ＦＦハイブリッド車両）の制御方法を提供することができる。【００９１】
(2) 強減速モード（強回生強減速モード）の選択中、アクセル解放操作とアクセル踏込操作を含むアクセル開度APOの変化に対する第３目標駆動力（第２強回生目標駆動力）の変化を連続にする。
このため、上記(1)の効果に加え、アクセル操作によって、容易に第３目標駆動力（第２強回生目標駆動力）を調整することができる。【００９２】
(3) 通常モードの選択中であって、ドライバ操作により第２減速力（O/Dオフ状態におけるエンジンブレーキ力）による通常強減速モードのとき、第４目標駆動力（第２通常目標駆動力）を算出する。この第４目標駆動力は、第１目標駆動力（第１通常目標駆動力）よりも負側に大きくした。
第２目標駆動力（第１強回生目標駆動力）から第３目標駆動力（第２強回生目標駆動力）への負側の増加量は、第１目標駆動力から第４目標駆動力への負側の増加量と同等にする。
このため、上記(1)〜(2)の効果に加え、強回生モードにおいてドライバが期待している目標駆動力の変化を提供できる。【００９３】
(4) 第２目標駆動力（第１強回生目標駆動力）から第３目標駆動力（第２強回生目標駆動力）へ負側に大きくするとき、第３目標駆動力を、所定の下限目標駆動力（Ｌレンジ位置が選択されているときの目標駆動力）により制限する。
このため、上記(1)〜(3)の効果に加え、負側に第３目標駆動力（第２強回生目標駆動力）が大きくなり過ぎることによる減速コントロールの悪化を回避できる。【００９４】
(5) アクセル解放操作とアクセル踏込操作を含むアクセル開度APOが中間開度以上の領域は、第３目標駆動力（第２強回生目標駆動力）を第２目標駆動力（第１強回生目標駆動力）と同等にする。
このため、上記(1)〜(4)の効果に加え、加速時等における高い目標駆動力（正側）が要求されるドライバ操作に対して、反応良く第３目標駆動力（第２強回生目標駆動力）を上げることができる。【００９５】
(6) 第３目標駆動力（第２強回生目標駆動力）では、一定速走行で使用する一定速目標駆動力領域におけるアクセル開度の変化勾配を、一定速目標駆動力領域以外の領域におけるアクセル開度の変化勾配よりも緩やかにする。
このため、上記(1)〜(5)の効果に加え、一定速走行の操作を容易にすることができる。【００９６】
(7) アクセル解放操作によるコースト状態のとき、ドライバの選択に応じて車両に減速力を付与する。この減速力は、第１減速力（O/Dオン状態におけるエンジンブレーキ力）と第１減速力よりも大きい第２減速力（O/Dオフ状態におけるエンジンブレーキ力）との少なくとも２段階で変更可能である。
この電動車両（ＦＦハイブリッド車両）の制御装置において、モータ（モータ/ジェネレータ３）と、モード選択部（モード選択スイッチ４０）と、目標駆動力算出部100と、モータ制御部（モータコントローラ２５）と、を備える。
モータは、電動車両に駆動力および回生力を付与可能である。
モード選択部は、通常モードと、強回生モードと、をドライバの選択に応じて選択可能である。
目標駆動力算出部100は、通常モードの選択中、回生側に第１目標駆動力（第１通常目標駆動力）を算出し、強回生モードの選択中、第１目標駆動力よりも回生側に強い第２目標駆動力（第１強回生目標駆動力）を算出する。
モータ制御部は、目標駆動力算出部が算出した各目標駆動力に応じた回生力をモータに出力する。
その目標駆動力算出部は、強回生モードの選択中であって、ドライバ操作により第２減速力による強減速モード（強回生強減速モード）を選択すると、強減速モードの選択中、第３目標駆動力（第２強回生目標駆動力）を算出する。この第３目標駆動力は、第２目標駆動力よりも負側に大きくした。
このため、強減速モード（強回生強減速モード）が選択されているとき、燃費の悪化を抑制する電動車両（ＦＦハイブリッド車両）の制御装置を提供することができる。【００９７】
以上、本開示の電動車両の制御方法及び制御装置を実施例１に基づき説明してきた。しかし、具体的な構成については、この実施例１に限られるものではなく、請求の範囲の各請求項に係る発明の要旨を逸脱しない限り、設計の変更や追加等は許容される。【００９８】
実施例１では、ドライバの選択に応じて車両に付与する減速力を第１減速力と第２減速力の２段階とする例を示した。しかし、これに限らず、３段階以上としても良い。【００９９】
実施例１では、車両に付与する第１減速力と第２減速力の選択を、ドライバのオーバードライブスイッチ３９のON/OFF選択に応じて変更可能とする例を示した。しかし、これに限られない。例えば、車両に付与する第１減速力と第２減速力の選択を、レンジ位置のＤレンジ位置/Ｌレンジ位置に応じて変更可能としても良い。要するに、車両に付与する減速力を、ドライバの選択に応じて変更可能であれば良い。【０１００】
実施例１では、アクセル解放操作によるコースト状態のときに算出される４つの目標駆動力を、モータ/ジェネレータ３の回生力やエンジンブレーキ力により出力する例を示した。しかし、これに限られない。例えば、その４つの目標駆動力を、モータ/ジェネレータ３の回生力のみにより出力しても良いし、エンジンブレーキ力やメカブレーキによる制動力により出力しても良い。【０１０１】
実施例１では、本開示の制御方法及び制御装置をＦＦハイブリッド車両に適用する例を示した。しかし、本開示の制御方法及び制御装置は、ＦＦハイブリッド車両に限らず、ＦＲハイブリッド車両に対しても適用することができる。さらに、ハイブリッド車両に限らず、電気自動車に対しても適用することができる。要するに、駆動源にモータ/ジェネレータを有する電動車両であれば適用できる。なお、電気自動車に適用する場合には、オーバードライブスイッチ３９と同一又は別のスイッチ等を設け、アクセル解放操作によるコースト状態のときに算出される目標駆動力はモータ/ジェネレータの回生力により出力する。
【図１】
2018189904.tif 000003
【図２】
2018189904.tif 000004
【図３】
2018189904.tif 000005
【図４】
2018189904.tif 000006
【図５】
2018189904.tif 000007
【図６】
2018189904.tif 000008
【図７】
2018189904.tif 000009
【図８】
2018189904.tif 000010
【図９】
2018189904.tif 000011
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力し、
前記第３目標駆動力は、前記モータの回生力とエンジンブレーキ力により出力される
ことを特徴とする電動車両の制御方法。
【請求項９】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力し、
前記アクセル解放操作とアクセル踏込操作を含むアクセル開度が中間開度以上の領域は、前記第３目標駆動力を前記第２目標駆動力と同等にする
ことを特徴とする電動車両の制御方法。
【請求項１０】
請求項９に記載された電動車両の制御方法において、
前記第３目標駆動力では、一定速走行で使用する一定速目標駆動力領域におけるアクセル開度の変化勾配を、前記一定速目標駆動力領域以外の領域における前記アクセル開度の変化勾配よりも緩やかにする
ことを特徴とする車両の制御方法。
【請求項１１】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力し、
前記第３目標駆動力では、一定速走行で使用する一定速目標駆動力領域におけるアクセル開度の変化勾配を、前記一定速目標駆動力領域以外の領域における前記アクセル開度の変化勾配よりも緩やかにする
ことを特徴とする電動車両の制御方法。
【請求項１２】
請求項８から請求項１１までの何れか一項に記載された電動車両の制御方法において、
前記強減速モードの選択中、前記アクセル解放操作とアクセル踏込操作を含むアクセル開度の変化に対する前記第３目標駆動力の変化を連続にする
ことを特徴とする電動車両の制御方法。
【請求項１３】
請求項８から請求項１２までの何れか一項に記載された電動車両の制御方法において、
前記通常モードの選択中であって、ドライバ操作により前記第２減速力による通常強減速モードのとき、前記第１目標駆動力よりも負側に大きくした第４目標駆動力を算出し、
前記第２目標駆動力から前記第３目標駆動力への負側の増加量は、前記第１目標駆動力から前記第４目標駆動力への負側の増加量と同等にする
ことを特徴とする電動車両の制御方法。
【請求項１４】
請求項８から請求項１３までの何れか一項に記載された電動車両の制御方法において、
前記第２目標駆動力から前記第３目標駆動力へ負側に大きくするとき、前記第３目標駆動力を、所定の下限目標駆動力により制限する
ことを特徴とする電動車両の制御方法。
【請求項１５】
アクセル解放操作によるコースト状態のとき、ドライバの選択に応じて車両に付与する減速力を第１減速力と前記第１減速力よりも大きい第２減速力との少なくとも２段階で変更可能な電動車両の制御装置において、
電動車両に駆動力および回生力を付与可能なモータと、
通常モードと、強回生モードと、をドライバの選択に応じて選択可能なモード選択部と、
前記通常モードの選択中、回生側に第１目標駆動力を算出し、前記強回生モードの選択中、前記第１目標駆動力よりも回生側に強い第２目標駆動力を算出する目標駆動力算出部と、
前記目標駆動力算出部が算出した各目標駆動力に応じた回生力を前記モータに出力するモータ制御部と、を備え、
前記目標駆動力算出部は、前記強回生モードの選択中であって、ドライバ操作により前記第２減速力による強減速モードを選択すると、前記強減速モードの選択中、前記第２目標駆動力よりも負側に大きくした第３目標駆動力を算出し、
前記第３目標駆動力は、前記モータの回生力とエンジンブレーキ力により出力される
ことを特徴とする電動車両の制御装置。
【手続補正２】
【補正対象書類名】明細書
【補正対象項目名】０００２
【補正方法】変更
【補正の内容】
【０００２】
可能なモード選択部と、を備える。その制御方法において、通常モードの選択中、回生側に第１目標駆動力を算出し、強回生モードの選択中、第１目標駆動力よりも回生側に強い第２目標駆動力を算出する。その強回生モードの選択中であって、ドライバ操作により第２減速力による強減速モードを選択すると、強減速モードの選択中、第２目標駆動力よりも負側に大きくした第３目標駆動力を算出する。そして、算出した各目標駆動力に応じた回生力をモータに出力する。また、第３目標駆動力は、モータの回生力とエンジンブレーキ力により出力される。
発明の効果
［０００７］
このように、強減速モードのとき、第２目標駆動力よりも負側に大きくした第３目標駆動力を算出し、算出した第３目標駆動力に応じた回生力をモータに出力することで、強減速モードが選択されているとき、燃費の悪化を抑制できうる。
図面の簡単な説明
［０００８］
［図１］実施例１の制御方法及び制御装置が適用されたＦＦハイブリッド車両（電動車両の一例）を示す全体システム図である。
［図２］実施例１の統合コントローラの内部構成を示すブロック図である。
［図３］実施例１においてコースト時の通常モードの選択中における車速に対する目標駆動力特性とコースト時の強回生モードの選択中における車速に対する目標駆動力特性の一例を示すコースト目標駆動力マップである。
［図４］実施例１の目標駆動力算出部にてコースト時に実行される目標駆動力特性選択制御処理の流れを示すフローチャートである。
［図５］実施例１において所定の速度での通常モードの選択中におけるアクセル開度に対する目標駆動力特性と、所定の速度での強回生モードの選択中におけるアクセル開度に対する目標駆動力特性の一例を示す第１目標駆動力マップである。
［図６］実施例１において所定の速度での通常モードの選択中におけるアクセル開度に対する目標駆動力特性と、所定の速度での強回生モードの選択中におけるアクセル開度に対する目標駆動力特性の一例を示す第２目標駆動力マッ
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力し、
前記アクセル解放操作とアクセル踏込操作を含むアクセル開度が中間開度以上の領域は、前記第３目標駆動力を前記第２目標駆動力と同等にする
ことを特徴とする電動車両の制御方法。
【請求項１０】
請求項９に記載された電動車両の制御方法において、
前記第３目標駆動力では、一定速走行で使用する一定速目標駆動力領域におけるアクセル開度の変化勾配を、前記一定速目標駆動力領域以外の領域における前記アクセル開度の変化勾配よりも緩やかにする
ことを特徴とする車両の制御方法。
【請求項１１】
アクセル解放操作によるコースト状態のとき、ドライバの選択に応じて車両に付与する減速力を第１減速力と前記第１減速力よりも大きい第２減速力との少なくとも２段階で変更可能な電動車両の制御方法において、
電動車両に駆動力および回生力を付与可能なモータと、
通常モードと、強回生モードと、をドライバの選択に応じて選択可能なモード選択部と、を備え、
前記通常モードの選択中、回生側に第１目標駆動力を算出し、前記強回生モードの選択中、前記第１目標駆動力よりも回生側に強い第２目標駆動力を算出し、
前記強回生モードの選択中であって、ドライバ操作により前記第２減速力による強減速モードを選択すると、前記強減速モードの選択中、前記第２目標駆動力よりも負側に大きくした第３目標駆動力を算出し、
算出した各目標駆動力に応じた回生力を前記モータに出力し、
前記第３目標駆動力では、一定速走行で使用する一定速目標駆動力領域におけるアクセル開度の変化勾配を、前記一定速目標駆動力領域以外の領域における前記アクセル開度の変化勾配よりも緩やかにする
ことを特徴とする電動車両の制御方法。
【請求項１２】
請求項９から請求項１１までの何れか一項に記載された電動車両の制御方法において、
前記強減速モードの選択中、前記アクセル解放操作とアクセル踏込操作を含むアクセル開度の変化に対する前記第３目標駆動力の変化を連続にする
ことを特徴とする電動車両の制御方法。
【請求項１３】
請求項９から請求項１２までの何れか一項に記載された電動車両の制御方法において、
前記通常モードの選択中であって、ドライバ操作により前記第２減速力による通常強減速モードのとき、前記第１目標駆動力よりも負側に大きくした第４目標駆動力を算出し、
前記第２目標駆動力から前記第３目標駆動力への負側の増加量は、前記第１目標駆動力から前記第４目標駆動力への負側の増加量と同等にする
ことを特徴とする電動車両の制御方法。
【請求項１４】
請求項９から請求項１３までの何れか一項に記載された電動車両の制御方法において、
前記第２目標駆動力から前記第３目標駆動力へ負側に大きくするとき、前記第３目標駆動力を、所定の下限目標駆動力により制限する
ことを特徴とする電動車両の制御方法。
【請求項１５】
アクセル解放操作によるコースト状態のとき、ドライバの選択に応じて車両に付与する減速力を第１減速力と前記第１減速力よりも大きい第２減速力との少なくとも２段階で変更可能な電動車両の制御装置において、
電動車両に駆動力および回生力を付与可能なモータと、
通常モードと、強回生モードと、をドライバの選択に応じて選択可能なモード選択部と、
前記通常モードの選択中、回生側に第１目標駆動力を算出し、前記強回生モードの選択中、前記第１目標駆動力よりも回生側に強い第２目標駆動力を算出する目標駆動力算出部と、
前記目標駆動力算出部が算出した各目標駆動力に応じた回生力を前記モータに出力するモータ制御部と、を備え、
前記目標駆動力算出部は、前記強回生モードの選択中であって、ドライバ操作により前記第２減速力による強減速モードを選択すると、前記強減速モードの選択中、前記第２目標駆動力よりも負側に大きくした第３目標駆動力を算出し、
前記第３目標駆動力は、前記モータの回生力と前記エンジンブレーキ力により出力され、
前記アクセル解放操作とアクセル踏込操作を含むアクセル開度が中間開度以上の領域は、前記第３目標駆動力を前記第２目標駆動力と同等にする
ことを特徴とする電動車両の制御装置。
【手続補正２】
【補正対象書類名】明細書
【補正対象項目名】０００２
【補正方法】変更
【補正の内容】
【０００２】
可能なモード選択部と、を備える。その制御方法において、通常モードの選択中、回生側に第１目標駆動力を算出し、強回生モードの選択中、第１目標駆動力よりも回生側に強い第２目標駆動力を算出する。その強回生モードの選択中であって、ドライバ操作により第２減速力による強減速モードを選択すると、強減速モードの選択中、第２目標駆動力よりも負側に大きくした第３目標駆動力を算出する。そして、算出した各目標駆動力に応じた回生力をモータに出力する。アクセル解放操作とアクセル踏込操作を含むアクセル開度が中間開度以上の領域は、第３目標駆動力を第２目標駆動力と同等にする。
発明の効果
［０００７］
このように、強減速モードのとき、第２目標駆動力よりも負側に大きくした第３目標駆動力を算出し、算出した第３目標駆動力に応じた回生力をモータに出力することで、強減速モードが選択されているとき、燃費の悪化を抑制できうる。
図面の簡単な説明
［０００８］
［図１］実施例１の制御方法及び制御装置が適用されたＦＦハイブリッド車両（電動車両の一例）を示す全体システム図である。
［図２］実施例１の統合コントローラの内部構成を示すブロック図である。
［図３］実施例１においてコースト時の通常モードの選択中における車速に対する目標駆動力特性とコースト時の強回生モードの選択中における車速に対する目標駆動力特性の一例を示すコースト目標駆動力マップである。
［図４］実施例１の目標駆動力算出部にてコースト時に実行される目標駆動力特性選択制御処理の流れを示すフローチャートである。
［図５］実施例１において所定の速度での通常モードの選択中におけるアクセル開度に対する目標駆動力特性と、所定の速度での強回生モードの選択中におけるアクセル開度に対する目標駆動力特性の一例を示す第１目標駆動力マップである。
［図６］実施例１において所定の速度での通常モードの選択中におけるアクセル開度に対する目標駆動力特性と、所定の速度での強回生モードの選択中におけるアクセル開度に対する目標駆動力特性の一例を示す第２目標駆動力マッ
【国際調査報告】
2018189904.tif 000012
2018189904.tif 000013
2018189904.tif 000014
2018189904.tif 000015